(57)【要約】【課題】簡単な構造で容易に防滴を行うことができる回転式電子部品の防滴構造を提供する。【解決手段】基台２０と、フレキシブル回路基板５０と、回転体１１０と、回転体１１０の回転によって電気的出力を変化する電気的機能部（摺動子１３０等）とを具備する。基台２０上の電気的機能部の周囲を囲む位置に防滴部材７０を設置する。防滴部材７０と回転体１１０との間に電気的機能部内への液体の侵入を防止する液体侵入防止機構を設ける。液体侵入防止機構は、防滴部材７０に設けたリング状の凹部（液溜り部）７３内に回転体１１０に設けたリング状の凸部１２１を挿入することで構成される。フレキシブル回路基板５０から引き出されている引出部５３を基台２０中に設けた挿通孔２３を介して基台２０の裏面側に引き出すとともに、この挿通孔２３の上部を防滴部材７０によって覆う。【選択図】図２
2008123904.tif 000002
【特許請求の範囲】
【請求項１】
基台と、
前記基台上に設置されるフレキシブル回路基板と、
前記フレキシブル回路基板上に回転自在に設置される回転体と、
前記フレキシブル回路基板と回転体との間に設置され前記回転体の回転によって電気的出力を変化する電気的機能部と、を具備する回転式電子部品の防滴構造において、
前記基台上の前記電気的機能部の周囲を囲む位置に防滴部材を設置するとともに、
この防滴部材と前記回転体との間に前記電気的機能部内への液体の侵入を防止する液体侵入防止機構を設け、
一方前記フレキシブル回路基板から引き出されている引出部を前記基台に設けた挿通孔を介して基台の裏面側に引き出すとともに、この挿通孔が前記防滴部材に内包される基台位置に設けられていることを特徴とする回転式電子部品の防滴構造。
【請求項２】
前記挿通孔は、その上部が前記防滴部材によって覆われる位置に設けられていることを特徴とする請求項１に記載の回転式電子部品の防滴構造。
【請求項３】
前記基台の裏面側に引き出された引出部は、基台の下面側に取り付けられる取付部材と前記基台の裏面との間に挟持されることを特徴とする請求項１又は２に記載の回転式電子部品の防滴構造。
【請求項４】
前記液体侵入防止機構は、前記防滴部材に設けたリング状の凹部内に、前記回転体に設けたリング状の凸部を挿入することで構成されていることを特徴とする請求項１又は２又は３に記載の回転式電子部品の防滴構造。
【請求項５】
前記防滴部材に設けた凹部は液溜り部であり、内側の土手の高さを外側の土手の高さよりも高くしたことを特徴とする請求項４に記載の回転式電子部品の防滴構造。
【請求項６】
前記基台の裏面には前記フレキシブル回路基板の引出部を収納する深さの凹状の引出部収納部を設け、さらに基台の外周から引出部を引き出す部分の引出部収納部の幅を引出部の幅と略同一にしたことを特徴とする請求項３に記載の回転式電子部品の防滴構造。
【発明の詳細な説明】
【技術分野】
【０００１】
本発明は回転式電子部品に関し、特に内部の電気的機能部に液体が侵入するのを効果的に防止できる回転式電子部品の防滴構造に関するものである。
【背景技術】
【０００２】
従来、デジタルカメラや携帯電話機等の各種携帯機器、コンピュータ、自動車用電装部品、各種ＯＡ機器、ゲーム機等を操作するデバイス等として、回転式電子部品が使用されている。そしてこの種の回転式電子部品の中には、内蔵した電気的機能部に水等の液体が触れないよう、防滴構造（完全防水ではないが、ある程度水の侵入を防ぐ構造）を設けたものがある。
【０００３】
しかしながら従来の防滴構造において、回転体等の可動側部材と、回路基板やこれを載置する基台等の固定側部材との間の防滴を簡便な構造で効果的に行うことができるものはなかった。また回路基板としてフレキシブル回路基板を用いた場合、このフレキシブル回路基板から引出部が回転式電子部品の外部に引き出されるが、回転式電子部品の内部又は周囲に浸入した水がこの引出部を伝って引出部先端側のコネクタやコネクタを取り付けた主基板等に侵入していくのを簡便な構造で効果的に防止できるものもなかった。
【特許文献１】実用新案登録第２５６６７１９号公報
【発明の開示】
【発明が解決しようとする課題】
【０００４】
本発明は上述の点に鑑みてなされたものでありその目的は、回転体等の可動側部材とフレキシブル回路基板や基台等の固定側部材との間の防滴と、フレキシブル回路基板から引き出される引出部部分の防滴とを簡単な構造で容易に行うことができる回転式電子部品の防滴構造を提供することにある。
【課題を解決するための手段】
【０００５】
本願請求項１に記載の発明は、基台と、前記基台上に設置されるフレキシブル回路基板と、前記フレキシブル回路基板上に回転自在に設置される回転体と、前記フレキシブル回路基板と回転体との間に設置され前記回転体の回転によって電気的出力を変化する電気的機能部と、を具備する回転式電子部品の防滴構造において、前記基台上の前記電気的機能部の周囲を囲む位置に防滴部材を設置するとともに、この防滴部材と前記回転体との間に前記電気的機能部内への液体の侵入を防止する液体侵入防止機構を設け、一方前記フレキシブル回路基板から引き出されている引出部を前記基台に設けた挿通孔を介して基台の裏面側に引き出すとともに、この挿通孔が前記防滴部材に内包される基台位置に設けられていることを特徴とする回転式電子部品の防滴構造にある。ここで挿通孔が前記防滴部材に内包される基台位置とは、挿通孔が防滴部材によって覆われる基台の位置、あるいは防滴部材に囲まれる基台の位置をいう。
【０００６】
本願請求項２に記載の発明は、前記挿通孔は、その上部が前記防滴部材によって覆われる位置に設けられていることを特徴とする請求項１に記載の回転式電子部品の防滴構造にある。
【０００７】
本願請求項３に記載の発明は、前記基台の裏面側に引き出された引出部は、基台の下面側に取り付けられる取付部材と前記基台の裏面との間に挟持されることを特徴とする請求項１又は２に記載の回転式電子部品の防滴構造にある。
【０００８】
本願請求項４に記載の発明は、前記液体侵入防止機構は、前記防滴部材に設けたリング状の凹部内に、前記回転体に設けたリング状の凸部を挿入することで構成されていることを特徴とする請求項１又は２又は３に記載の回転式電子部品の防滴構造にある。
【０００９】
本願請求項５に記載の発明は、前記防滴部材に設けた凹部は液溜り部であり、内側の土手の高さを外側の土手の高さよりも高くしたことを特徴とする請求項４に記載の回転式電子部品の防滴構造にある。
【００１０】
本願請求項６に記載の発明は、前記基台の裏面には前記フレキシブル回路基板の引出部を収納する深さの凹状の引出部収納部を設け、さらに基台の外周から引出部を引き出す部分の引出部収納部の幅を引出部の幅と略同一にしたことを特徴とする請求項３に記載の回転式電子部品の防滴構造にある。
【発明の効果】
【００１１】
請求項１に記載の発明によれば、基台上に設置した防滴部材と回転体との間に液体侵入防止機構を設けるという簡単な構造で、容易に回転体と基台の間から電気的機能部に液体が浸入するのを防止でき、同時に挿通孔を防滴部材に内包される基台位置に設けたので、基台の裏面側に引き出したフレキシブル回路基板の引出部に基台上に浸入した水が浸入することはなく、引出部を伝って引出部を接続する主基板などの他の回路に液体が浸入するのを容易に防止できる。
【００１２】
請求項２に記載の発明によれば、たとえ液体が防滴部材の内部側（電気的機能部設置部）内にまで浸入したとしても、浸入した液体が挿通孔内に浸入することはなく、引出部を伝って引出部を接続する主基板などの他の回路に液体が浸入するのを防止できる。
【００１３】
請求項３に記載の発明によれば、たとえ挿通孔内に液体が浸入したとしても、引出部を伝って外方に引き出した引出部に伝わって行くことを防止できる。
【００１４】
請求項４に記載の発明によれば、簡単な構造の液体侵入防止機構によって容易に防滴が図れる。
【００１５】
請求項５に記載の発明によれば、防滴部材の凹部を液溜り部としたので、この凹部から電気的機能部に浸入しようとする液体をここに溜めることで容易に防滴が図れる。特に凹部はリング状なので、溜めることができる液の量を多くでき効果的である。さらに土手の高さを外側よりも内側の方を高くしたので、溜まった液体は外側の土手から排出され易く、この点からも効果的な防滴が図れる。
【００１６】
請求項６に記載の発明によれば、たとえ挿通孔内に液体が浸入したとしても、引出部収納部内から外部への液体の浸入をその出口部分で効果的に防止できる。
【発明を実施するための最良の形態】
【００１７】
以下、本発明の実施形態を図面に基づいて詳細に説明する。図１は本発明の１実施形態にかかる回転式電子部品１の斜視図、図２は回転式電子部品１の概略断面図（図１のＡ−Ａ断面図）、図３は回転式電子部品１を上側から見た分解斜視図（その上側部分）、図４は回転式電子部品１を上側から見た分解斜視図（その下側部分）、図５は回転式電子部品１を下側から見た分解斜視図（その上側部分）、図６は回転式電子部品１を下側から見た分解斜視図（その下側部分）である。
【００１８】
これらの図に示すように回転式電子部品１は、取付部材（以下「取付板」という）１０上に、基台２０と、フレキシブル回路基板５０と、防滴部材７０と、回転体１１０と、押え部材（以下「押え板」という）１４０とを設置して構成されている。以下各構成部品について説明する。
【００１９】
取付板１０はこの実施形態では硬質の平板（この実施形態ではステンレスの板金）であり、その１辺にはこれを半円形状に突出する突出部１１が設けられている。また突出部１１を設けた側の辺近傍の３ヶ所と、その辺から所定距離離れた位置の２ヶ所には複数（５つ）の上下に貫通する小孔からなる取付部１３が設けられている。
【００２０】
基台２０は合成樹脂（この実施形態ではＡＢＳ樹脂であるが、ＰＢＴ樹脂やＰＯＭ樹脂等でも良い）の成形品であり、略平板状で前記取付板１０上に載置される外形寸法の基部２１と、基部２１の上面の略中央から上方向に向かって立設する軸部３５とを具備して構成されている。基部２１の所定位置にはスリット状に上下に貫通する挿通孔２３が設けられ、また基部２１上面の挿通孔２３近傍位置には複数（２つ）の小突起からなる係止部２５が設けられ、また基部２１上面の軸部３５の周囲４ヶ所（下記する防滴部材７０の下面に設けた係止取付部８３に対向する位置）には円形の上下に貫通する孔からなる取付部２７が設けられている。基部２１の裏面（下面）の略中央には下記するフレキシブル回路基板５０の引出部５３を収納する外形と深さ（フレキシブル回路基板５０の厚みと略同一の厚み寸法）の凹状の引出部収納部２９が設けられている。引出部収納部２９の１辺近傍には前記挿通孔２３が接続しており、また引出部収納部２９の基部２１の外周辺に到達している引出口（即ち基台２０の外周から引出部５３を引き出す部分）２９１の幅を下記する引出部５３の幅と略同一にし、同時にその深さを他の引出部収納部２９の深さより浅くしている。また基部２１の裏面の前記取付板１０の各取付部１３に対向する位置にはこれらに挿入される外形寸法の柱状に突出する取付係止部３１が設けられている。また基部２１の裏面の各取付部２７はその内径を大きくしてなるカシメ部収納部２７ａとなっていて下記する防滴部材７０の係止取付部８３先端の熱カシメ部分を収納するようになっている。一方軸部３５の先端近傍部分の外周面は平行に切り欠かれて横断面略小判型に形成されその上面中央に凹部を設けた固定部３７となっている。
【００２１】
フレキシブル回路基板５０は略円形の基板本体部５１の外周から帯状の引出部５３を引き出して構成されている。フレキシブル回路基板５０は可撓性のある合成樹脂フイルムを用いており、その材質としてこの実施形態ではポリエチレンテレフタレート（ＰＥＴ）フイルムを用いているが、他の各種材料（例えばポリフェニレンスルフイド（ＰＰＳ）フイルム、ポリイミド（ＰＩ）フィルム、ポリエチレンナフタレート（ＰＥＮ）フイルム、等）を用いても良い。引出部５３は基板本体部５１の外周からその半径方向外側に向けて突出した後、同一平面内で略直角に屈曲した形状を有しており、図４，図６では引出部５３をその根元近傍部分で１８０°折り曲げた状態（回転式電子部品１を組み立てた状態での屈曲形状）を示しているが、組み立てる前のフレキシブル回路基板５０には折り曲げ部分はなく、全て同一平面となっている。基板本体部５１の中央には円形の貫通孔からなる軸部挿通部５５が設けられ、また基板本体部５１の上面には下記する摺動子１３０が摺接することでその電気的出力を変化する電気的機能部である摺接パターン５７が設けられている。摺接パターン５７は例えば抵抗体パターンやスイッチパターン等であり、例えば導電ペーストや抵抗体ペーストを印刷する方法や、金属箔をエッチングする方法等によって形成される。摺接パターン５７からは図示しない回路パターンが前記引出部５３に引き出され、引出部５３の先端には回路パターンを露出することで例えば主基板のコネクタに接続される接続部５９となっている。また基板本体部５１から引出部５３を引き出す根元部分の両側には、前記基台２０の各係止部２５を挿入する小孔からなる取付係止部６１が設けられている。
【００２２】
防滴部材７０は、合成樹脂（この実施形態ではＡＢＳ樹脂であるが、ＰＢＴ樹脂やＰＯＭ樹脂等でも良い）の成形品を略平板のリング状に成形して構成されている。防滴部材７０の中央には円形の貫通孔からなる電気的機能部設置部７１が設けられ、またその上面にはリング状の凹部からなる液溜り部７３が設けられている。液溜り部７３は図２に示すように、内側のリング状の土手７３１の高さを、外側のリング状の土手７３３の高さよりも高くしている。液溜り部７３は液体侵入防止機構の一部を構成する。防滴部材７０の外周側面からはその外方に向かって前記基台２０の挿通孔２３及びこれに挿入される引出部５３を覆う舌片状（略矩形状）の覆い部７５が突出して設けられている。覆い部７５の下面には、基台２０上の引出部５３を収納する引出部５３の厚みと略同一の深さの凹部からなる収納部７７が設けられ、また収納部７７と電気的機能部設置部７１とを連結する部分には２つの凹部からなる係止部逃げ穴７９が設けられている。これら係止部逃げ穴７９は前記基台２０に設けた係止部２５（熱カシメした頭部）を収納する。また防滴部材７０の下面の前記各基台２０の取付部２７に対向する位置には、取付部２７に挿入する寸法形状の突起からなる係止取付部８３が複数（４つ）設けられている。
【００２３】
回転体１１０は、合成樹脂（この実施形態ではＡＢＳ樹脂であるが、ＰＢＴ樹脂やＰＯＭ樹脂等でも良い）の成形品を略平板の円形に成形して構成されている。回転体１１０の上面中央には略円形の凹部からなるクリック機構収納部１１１が設けられ、クリック機構収納部１１１の底面中央には円形の貫通孔からなる軸部取付部１１３が設けられている。軸部取付部１１３は前記基台２０の軸部３５を回動自在に挿入する寸法に形成されている。クリック機構収納部１１１の内周面は、凹凸を繰り返すクリック係合部１１５となっている。回転体１１０の下面の前記軸部取付部１１３の周囲は円形の平面からなる摺動子取付面１１７となっており、摺動子取付面１１７には２本の下方向に向かって突出する小突起からなる摺動子取付部１１９が設けられている。摺動子取付面１１７の外方は、基台２０から離れる方向にリング状に一段下がっており、下がった面１２３の外側にその面１２３から下方向（基台２０に近づく方向）に突出するリング状の凸部１２１が設けられ、さらにその外側には面１２３よりも少し下方向に高くなっている面１２５が設けられている。凸部１２１は前記防滴部材７０の液溜り部７３を構成する凹部内に挿入される位置に設けられる。回転体１１０の外周側面は多数の凹凸からなるつまみ部１２５となっている。凸部１２１は液体侵入防止機構の一部を構成する。摺動子取付面１１７には電気的機能部である摺動子１３０が取り付けられる。摺動子１３０は弾性金属板製であり、平板状の基部１３１の１辺から３本の摺動冊子１３３を突出し、それらの先端を下方向に凸となるように屈曲してなる弾接部１３５として構成されている。基部１３１には前記回転体１１０の摺動子取付部１１９を挿入する小孔からなる取付固定部１３７が設けられている。
【００２４】
押え板１４０は、合成樹脂（この実施形態ではＡＢＳ樹脂であるが、ＰＢＴ樹脂やＰＯＭ樹脂等でも良い）の成形品を略平板の円形に成形して構成されている。押え板１４０の中央には図２に示すように、上下に貫通する軸部取付部１４１が設けられている。軸部取付部１４１の下部は前記基台２０の軸部３５を挿入する寸法の軸部収納部１４１ａとなっており、また軸部収納部１４１ａの上部は前記軸部３５の先端の固定部３７を嵌合する固定部嵌合部１４１ｂとなっており、固定部嵌合部１４１ｂの上部は固定部３７をカシメるカシメ部収納部１４１ｃとなっている。押え板１４０の下面には、中央から半径方向外方に向けて略矩形状に突出するクリック機構設置部１４７が設けられ、その先端側の端面には円形の凹部からなるクリック機構収納部１４９が設けられている。クリック機構収納部１４９には、コイルバネ（圧縮コイルバネ）１５１と金属製の球からなるクリック体１５３が収納される。
【００２５】
回転式電子部品１の組立方法を説明すると、まず予め回転体１１０の摺動子取付面１１７に摺動子１３０の基部１３１を当接し、その際回転体１１０の摺動子取付部１１９を摺動子１３０の取付固定部１３７に挿入しその先端を熱カシメして固定しておく。そして基台２０上にフレキシブル回路基板５０の基板本体部５１を載置し、その際軸部３５を軸部挿通部５５に挿通し、同時に引出部５３を基台２０の挿通孔２３に挿通し、同時に基台２０の一対の係止部２５にそれぞれフレキシブル回路基板５０の取付係止部６１を挿入してそれらの先端を熱カシメすることで基台２０上に基板本体部５１を取り付ける。
【００２６】
次に基台２０の上面に防滴部材７０を載置し、その際基台２０の軸部３５を防滴部材７０の電気的機能部設置部７１に挿入し、同時に防滴部材７０の係止取付部８３を基台２０の取付部２７に挿入し、その先端を基台２０の下面で熱カシメする。このとき挿通孔２３はその上部が防滴部材７０によって覆われ、同時に引出部５３の基台２０の上面側にある部分は防滴部材７０の収納部７７に収納されて覆われ、また基板本体部５１は電気的機能部設置部７１内に露出する。防滴部材７０の下面は基台２０の上面に密着することで、両者間には隙間が無い状態となる。次に防滴部材７０上に回転体１１０を設置し、その際基台２０の軸部３５を回転体１１０の軸部取付部１１３に回転自在に挿入する。このとき防滴部材７０の液溜り部７３を構成する凹部内の略中央に回転体１１０の凸部１２１が挿入される。そのとき凸部１２１の先端は液溜り部７３の底面から少し離れており、当接していない。これら凹部である液溜り部７３と凸部１２１とによって液体侵入防止機構が構成される。またこのとき摺動子１３０の弾接部１３５はフレキシブル回路基板５０の摺接パターン５７に弾接している。次にクリック機構収納部１４９にコイルバネ１５１とクリック体１５３とを収納した押え板１４０を回転体１１０上に設置し、その際クリック機構設置部１４７をクリック機構収納部１１１内に収納し、同時に軸部３５を押え板１４０の軸部取付部１４１に挿入し、軸部３５先端の固定部３７を固定部嵌合部１４１ｂに挿入して嵌合し、固定部３７の先端をカシメ部収納部１４１ｃ内で熱カシメすることで押え板１４０を軸部３５に固定する。このときクリック体１５３はコイルバネ１５１の弾発力によって回転体１１０のクリック係合部１１５に弾接する。
【００２７】
次に基台２０の裏面側に引き出した引出部５３を基台２０の挿通孔２３の部分で基台２０の裏面に折り曲げ、基台２０の引出部収納部２９内に収納し、その状態のまま基台２０の下面に取付板１０を設置する。このとき引出部５３は引出部収納部２９の引出口２９１の部分から外部に突出する。そして基台２０の各取付係止部３１が取付板１０の各取付部１３に挿入されるので、その先端を取付板１０の裏面で熱カシメすれば、この回転式電子部品１が完成する。
【００２８】
以上のようにして組み立てられた回転式電子部品１において、回転体１１０を回転すると、回転体１１０と共に摺動子１３０が回転し、その弾接部１３５が摺接パターン５７上を摺動し、その電気的出力（摺接パターン５７がスイッチパターンの場合はオンオフ信号、抵抗体パターンの場合は抵抗値）が変化する。電気的出力は引出部５３の接続部５９から外部の回路に取り出される。
【００２９】
一方図２に示すようにこの回転式電子部品１は、例えば同図に一点鎖線で示すようなケース１６０内に収納される。ケース１６０は例えばＡＢＳ樹脂製であり、回転式電子部品１の回転体１１０の外周の一部を外部に露出する切り欠き部１６１を設けている。ケース１６０の切り欠き部１６１の周囲の部分は、回転式電子部品１の取付板１０や基台２０や押え板１４０の外周側面に当接することで、この隙間からケース１６０内部に液体が浸入しないようにしている。
【００３０】
そしてケース１６０が液体に触れるなどして切り欠き部１６１から液体が浸入すると、液体は回転体１１０と防滴部材７０との間から電気的機能部設置部７１内に浸入しようとするが、その周囲には凹部である液溜り部７３と凸部１２１とからなる液体侵入防止機構が設置されているので、液溜り部７３の土手７３１，７３３先端と回転体１１０の下面間の隙間と、凸部１２１先端と液溜り部７３の底面間の隙間が、液体浸入のための抵抗を大きくして（または浸入までの水路の長さを長くして）、水の浸入を防止する。またたとえこれら狭い隙間を液体が通り抜けたとしても、その液体は液溜り部７３に溜まるので、内側の土手７３１を越えて電気的機能部設置部７１側に侵入することはない。特に液溜まり部７３は電気的機能部設置部７１の周囲を囲むように設置されているので、溜めることができる液体の容量が大きく、好適である。さらに液体が液溜り部７３に満水になっても、外側の土手７３３の方が内側の土手７３１よりも低いので、外側の土手７３３から外方に溢れ出し、内側の土手７３１を越えて電気的機能部設置部７１内に溢れ出すことはない。即ち基台２０上に設置した防滴部材７０と回転体１１０との間に液体侵入防止機構（液溜り部７３と凸部１２１）を設けるという簡単な構造で、容易に回転体１１０と基台２０の間から電気的機能部（摺動子１３０と摺接パターン５７）に液体が浸入するのを防止できる。
【００３１】
またフレキシブル回路基板５０から引き出されている引出部５３を基台２０に設けた挿通孔２３を介して基台２０の裏面側に引き出すとともに、この挿通孔２３の上部が防滴部材７０によって覆われているので、たとえ液体が防滴部材７０の内部側（電気的機能部設置部７１）内にまで浸入したとしても、浸入した液体が挿通孔２３内に浸入することはなく、引出部５３を伝って引出部５３を接続する主基板などの他の回路に液体が浸入するのを防止できる。
【００３２】
なおこの実施形態では挿通孔２３の上部を防滴部材７０によって覆ったが、本発明では、挿通孔２３が防滴部材７０に内包される基台２０位置に設けられていればよい。ここで挿通孔２３が防滴部材７０に内包される基台２０位置とは、前述のような挿通孔２３が防滴部材７０によって覆われる基台２０の位置、あるいは防滴部材７０に囲まれる基台２０の位置をいう。防滴部材７０に囲まれる基台２０の位置とは、具体的には挿通孔２３を防滴部材７０の電気的機能部設置部７１内に露出する位置である。挿通孔２３を防滴部材７０の電気的機能部設置部７１内に露出する場合でも、前記液溜まり部７３などによる液体侵入防止機構によって液体が防滴部材７０の内部側（電気的機能部設置部７１）に浸入しない以上、挿通孔２３を通して基台２０の裏面側に引き出したフレキシブル回路基板５０の引出部５３に基台２０上に浸入した水が浸入することはなく、引出部５３を伝って引出部５３を接続する主基板などの他の回路に液体が浸入するのを容易に防止できる。
【００３３】
またこの実施形態によれば、基台２０の裏面側に引き出された引出部５３は、基台２０の下面側に取り付けられる取付板１０と基台２０の裏面との間に挟持されているので液体が侵入する隙間は小さく、また基台２０の下面側に侵入するまでの進入経路を長く取ることができ、たとえ挿通孔２３内に液体が浸入したとしても、引出部５３を伝って外方に引き出した引出部５３に伝わって行くことを効果的に防止できる。
【００３４】
またこの実施形態によれば、基台２０の裏面にフレキシブル回路基板５０の引出部５３を収納する深さの凹状の引出部収納部２９を設け、さらに基台２０の外周から引出部５３を引き出す部分の引出部収納部２９（引出口２９１）の幅を引出部５３の幅と略同一にしたので（さらにこの実施形態においては引出口２９１の深さを他の引出部収納部２９の深さより浅くして基台２０と取付板１０によって引出部５３を強く挟持したので）、たとえ挿通孔２３内に液体が浸入したとしても、引出部収納部２９内から外部への液体の浸入をその出口部分（引出口２９１）で効果的に防止できる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では回転体１１０に取り付けた摺動子１３０とフレキシブル回路基板５０に設けた摺接パターン５７とによって電気的機能部を構成したが、逆に回転体１１０に摺接パターンを設け、フレキシブル回路基板５０に摺動子を取り付けて電気的機能部を構成してもよいし、またさらに別の構造であっても良い。要は電気的機能部は回転体１１０の回転によって電気的出力を変化する構造であればどのような構造であっても良い。
【図面の簡単な説明】
【００３６】
【図１】回転式電子部品１の斜視図である。
【図２】回転式電子部品１の概略断面図である。
【図３】回転式電子部品１を上側から見た分解斜視図（その上側部分）である。
【図４】回転式電子部品１を上側から見た分解斜視図（その下側部分）である。
【図５】回転式電子部品１を下側から見た分解斜視図（その上側部分）である。
【図６】回転式電子部品１を下側から見た分解斜視図（その下側部分）である。
【符号の説明】
【００３７】
１  回転式電子部品
１０  取付板（取付部材）
２０  基台
２３  挿通孔
２９  引出部収納部
５０  フレキシブル回路基板
５３  引出部
５７  摺接パターン（電気的機能部）
７０  防滴部材
７３  液溜り部、凹部（液体侵入防止機構）
７３１  内側の土手
７３３  外側の土手
１１０  回転体
１２１  凸部（液体侵入防止機構）
１３０  摺動子（電気的機能部）
１４０  押え板（押え部材）
【図１】
2008123904.tif 000003
【図２】
2008123904.tif 000004
【図３】
2008123904.tif 000005
【図４】
2008123904.tif 000006
【図５】
2008123904.tif 000007
【図６】
2008123904.tif 000008